【事件の表示】
　特許第２９２８０５９号「インタレース表示制御回路」の請求項１ないし２に係る特許に対する特許異議の申立てについて、次のとおり決定する。
【結　論】
　訂正を認める。
　特許第２９２８０５９号の請求項１ないし２に係る特許を維持する。
【理　由】
（１）手続の経緯
特許第２９２８０５９号の請求項１、２に係る発明についての出願は、平成５年６月２３日に特許出願され、平成１１年５月１４日にその発明について特許の設定がされ、その後、その特許について、異議申立人　中川徹　により特許異議の申立がされ、取消理由が通知され、その指定期間内である平成１２年６月２３日に訂正請求がされたものである。
　　
　　
　　
（２）訂正の適否についての判断
　ア．訂正明細書の請求項１、２に係る発明
　　訂正明細書の請求項１、２係る発明は、その特許請求の範囲の請求項１、２に記載された次の事項により特定されるとおりのものである。
「【請求項１】　液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶表示パネルの上へ順次表示するインタレース表示制御回路であって、前記垂直ドライバが水平同期信号の周波数のｎ倍（ｎは２以上の整数）の周波数のシフトクロックにより１ライン毎に順次駆動する第１の制御手段と、前記垂直ドライバに与えるスタートパルスをｎ／２ライン分ずらして与える第２制御手段と、１水平走査期間毎に前記画像信号を前記列電極に出力する第３の制御手段とを有し、前記第１の制御手段、前記第２の制御手段及び前記第３の制御手段により前記第１フィールド及び前記第２フィールドの各ラインの画像信号を夫々ｎラインずつ表示し、前記液晶パネル上に表示される前記第１フィールドの画像と前記第２フィールドの画像が表示開始ラインを互いにｎ／２ライン分ずらして交互に表示することを特徴とする液晶表示パネルのインタレース表示制御回路。
【請求項２】　前記第１の制御手段は、前記水平ドライバへの前記信号の取込みタイミングである水平同期信号に同期しかつその周波数をｎ倍（ｎは２以上の整数）した周波数のシフトクロックにより１ライン毎に順次駆動する前記垂直ドライバを駆動する手段から構成し、
前記第２の制御手段は、前記第１フィールド及び前記第２フィールド各々における前記垂直ドライバの駆動タイミングをｎ／２ライン分ずらす手段から構成し、前記第３の制御手段は、前記水平同期信号に同期したパルスにより前記列電極への出力を１水平期間中維持する手段から構成したことを特徴とする請求項１記載の液晶表示パネルのインタレース表示制御回路。」
　
　イ．訂正の目的の適否、新規事項の有無及び拡張・変更の存否
　　特許件者が求めている訂正の内容は以下のａ、ｂのとおりである。
　ａ　請求項１に係る発明において「インターレス」を「インタレース」に訂正し、また“第２の制御手段”の後に「１水平走査期間毎に前記画像信号を前記列電極に出力する第３の制御手段」なる“第３の制御手段”を追加すべく訂正する。
請求項２においては「インターレス」を「インタレース」に訂正し、また、“（上記）第３の制御手段”に関して「第３の制御手段は、前記水平同期信号に同期したパルスにより前記列電極への出力を１水平期間中維持する手段から構成」を追加すべく訂正する。
　ｂ　発明の詳細な説明の記載においては、段落番号“【００１０】”で上記ａの訂正内容と整合すべく訂正し、また、段落番号“【００４０】”“【００４１】”において「シフトクロット」を「シフトクロック」と訂正する。　
　
　上記ａの訂正に関して、「インターレス」は「インタレース」の明らかな誤記である。また、「１水平走査期間毎に前記画像信号を前記列電極に出力する第３の制御手段」（請求項１に係る発明）及び「第３の制御手段は、前記水平同期信号に同期したパルスにより前記列電極への出力を１水平期間中維持する手段から構成」（請求項２に係る発明）を追加する構成は、発明を特定する事項である液晶表示パネルのインタレース表示制御手段をさらに限定したものといえるもので、また上記構成は、願書に最初に添付した明細書（以下、〈特許明細書〉という。）の詳細な説明の段落番号【００１９】〜【００２１】及び第２図に列挙されていることから、訂正内容は、〈特許明細書〉に記載された事項の範囲内において、誤記の訂正、若しくは減縮するものであって、新規事項の追加に該当するものでない。
　上記ｂの訂正に関して、一つは、請求項１、２に係る発明の訂正に伴う整合をとる訂正である。また、残る「シフトクロット」は「シフトクロック」の明らかな誤記であるから、訂正内容は明瞭でない記載の釈明を目的とする訂正であって、新規事項の追加に該当するものでなく、実質上特許請求の範囲を拡張し、又は変更するものでもない。
　
　ウ．むすび
以上のとおりであるから、上記訂正は特許法第１２０条の４第２項及び同条第３項において準用する第１２６条第２項及び第３項の規定に適合するので、当該訂正を認める。
　
　
　
（３）特許異議の申立について
　ア．訂正後の本件発明
　訂正明細書の請求項１，２に係る発明は、その特許請求の範囲の請求項１、２に記載された次の事項により特定されるとおりのものである（以下〈訂正後の本件発明１、２〉という。）。
　「【請求項１】　液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶表示パネルの上へ順次表示するインタレース表示制御回路であって、前記垂直ドライバが水平同期信号の周波数のｎ倍（ｎは２以上の整数）の周波数のシフトクロックにより１ライン毎に順次駆動する第１の制御手段と、前記垂直ドライバに与えるスタートパルスをｎ／２ライン分ずらして与える第２制御手段と、１水平走査期間毎に前記画像信号を前記列電極に出力する第３の制御手段とを有し、前記第１の制御手段、前記第２の制御手段及び前記第３の制御手段により前記第１フィールド及び前記第２フィールドの各ラインの画像信号を夫々ｎラインずつ表示し、前記液晶パネル上に表示される前記第１フィールドの画像と前記第２フィールドの画像が表示開始ラインを互いにｎ／２ライン分ずらして交互に表示することを特徴とする液晶表示パネルのインタレース表示制御回路。」
　「【請求項２】　前記第１の制御手段は、前記水平ドライバへの前記信号の取込みタイミングである水平同期信号に同期しかつその周波数をｎ倍（ｎは２以上の整数）した周波数のシフトクロックにより１ライン毎に順次駆動する前記垂直ドライバを駆動する手段から構成し、
前記第２の制御手段は、前記第１フィールド及び前記第２フィールド各々における前記垂直ドライバの駆動タイミングをｎ／２ライン分ずらす手段から構成し、前記第３の制御手段は、前記水平同期信号に同期したパルスにより前記列電極への出力を１水平期間中維持する手段から構成したことを特徴とする請求項１記載の液晶表示パネルのインタレース表示制御回路。」
　
　イ．申立ての理由の概要
　特許異議申立人　中川徹　は、本件発明１、２（訂正前のその特許請求の範囲の請求項１，２に記載された発明であり、以下〈訂正前の本件発明１，２〉という。）は、特許法第２９条第１項第３号に規定する発明に該当し特許を受けることがでいない。
　また、少なくとも同号証に基づいて当業者が容易に発明をすることができたもので、同法第２９条第２項により特許を受けることができないもので、訂正前の本件発明１、２は特許法第１１３条第２号に該当するので取り消されるべきものである旨主張している。
　
　ウ．判断
 ［〈訂正前の本件発明１〉と甲第１号証との対比］
 特許異議申立人　中川徹　が提出した甲第１号証には、
　ａ　第６図に関する技術説明として、「液晶パネル６１には信号電圧を与え、これを駆動させるためのセグメントドライバ６２及びスキャンドライバー６３と」（第２頁左上欄第１６〜１９行目）、「液晶パネル６１上には垂直方向に平行に位置されるＭ本のデータ信号線６４と水平方向にに平行に配されるＮ本の信号線６５とを有する」（第２頁右上欄第９〜１２行目）、「スキャンドライバ６３には、液晶パネル６１からのＮ本の走査信号線６５が接続される」（第２頁左下欄第１２〜１３行目）、「セグメントドライバ６２には、液晶パネル６１からのＭ本のデータ信号線６４が接続される」（第２頁右下欄第２〜３行目）等の各記載がある。
また、第１図に関する技術説明として、「この液晶表示装置は従来と同様に液晶パネル１と、スキャンドライバ３と、セグメントドライバ２と、タイミングコントロール回路９と、極性反転回路８とを備える。」（第５頁右上欄第２０〜同頁左下欄第３行目）との記載がある。
また、テレビ画像を伝送する際は、インターレース走査が行われ、第１フィールドの画像と第２フィードの画像とを順次表示する制御方式に関する記載がある（第５頁右上欄第２０行目〜同頁左下欄第３行目）。
そして、前記“セグメントドライバ”は本件発明の「水平ドライバ」に、同様に“スキャンドライバ”は「垂直ドライバ」に各々相当するから、上記事項として、「訂正前の本件発明１」の、
「液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶表示パネルの上へ順次表示するインタレース表示制御回路」
の構成が記載されているものと解される。
　ｂ　第５図に関する技術説明として、「スキャンドライバ３４において１本の走査信号線を選択させるためのスキャンドライバクロック信号、走査信号線を上部から１本ずつ順次選択する動作を行わせるためのシフトレジストスタート信号、およびデジタル回路３９において所定の走査変換および極性反転を行わせるためのデジタル回路制御信号を作り出して出力する。具体的には、サンプルスタート信号、出力転送信号およびスキャンドライバクロック信号はすべて原映像信号の水平走査周期の１／２の周期のクロック信号である。」（第８頁右上欄第４〜１４行目）、また「タイミングコントロール回路４５からのスキャンドライバクロック信号に同期して、接続される２Ｎｆ本の走査信号線をその上部から下部に至るまで１本ずつ順次選択する。」（第９頁右上欄第１〜４行目）等の各記載がある。
そして、前記“スキャンドライバー３４のスキャンドライバクロック信号”は本件発明の「垂直ドライバのシフトクロック」に、“水平走査周期の１／２周期”は「水平同期信号の周波数に換算すれば２倍のクロック信号」に、同様に“スキャンドライバクロック信号に同期して接続されるＮｆ本の走査信号線を上部から下部まで１本ずつ順次選択する”は「１ライン毎に順駆動する」ことに相当するから、ここにはｎ＝２を選択した〈訂正前の本件発明１〉の、
「垂直ドライバが水平同期信号の周波数のｎ倍（ｎは２以上の整数）の周波数のシフトクロックにより１ライン毎に順次駆動する第１の制御手段」
の構成が記載されているものと解される。
　ｃ　第５図に関する技術説明として、シフトレジストスタート信号（本件発明の「スタートパルス」に該当する。以下同様。）は、２フィールド間で水平走査期間の１／２の時間だけずれたパルス波形となっており（第８頁右上欄第１４〜１８行目）、また第３図（ａ）、（ｂ）に関する記載には、１水平期間に２ライン分走査されていることが示されている。このことはシフトレジストスタート信号は、スタートパルスを１ライン（ｎ＝２を選択して２／２＝１）分ずらすことを意味しており、ここには、〈訂正前の本件発明１〉の、
「垂直ドライバに与えるスタートパルスをｎ／２ライン分ずらして与える第２の制御手段」
の構成が記載されているものと解される。
　ｄ　第８頁右下欄第１８〜第９頁左上欄第４行目には、隣接する映像信号は同一で　あって、第１フィールドと第２フィールドの各ラインの画像をそれぞれ２（ｎ＝２）ラインずつ表示することが記載されており、ここには、〈訂正前の本件発明１〉の、
「第１の制御手段および前記第２の制御手段により前記第１フィールド及び前記第２フィールドの各ラインの画像信号を夫々ｎラインずつ表示」
の構成が記載されているものと解される。
　ｅ　第６頁右下欄第１６行目〜第７頁左上欄第１６行目及び走査線と送信側の画面上の走査線との対応関係を示す第４図には、画面に表示される第１フィールドおよび第２フィールドの画像が１ライン分（ｎ＝２）ずらして交互に表示される旨の記載があり、ここには、〈訂正前の本件発明１〉の、
「液晶パネル上に表示される前記第１フィールドの画像と前記第２フィールドの画像が表示開始ラインを互いにｎ／２ライン分ずらして交互に表示する」
構成が記載されているものと解される。
　
［〈訂正前の本件発明２〉と甲第１号証との対比］
　〈訂正前の本件発明２〉は〈訂正前の本件発明１〉を引用した発明であるところ、比較して、
「第１の制御手段は、水平ドライバへの信号の取込みタイミングである水平同期信号に同期しかつその周波数をｎ倍（ｎは２以上の整数）した周波数のシフトクロックにより１ライン毎に順次駆動する前記垂直ドライバを駆動する手段」
以外の構成においては、上記　ウ．ｂ　ｃ　で対比した内容と技術的にみて実質同義と認められる。
そして、前記手段の構成は、第８頁左上欄第１３行目〜右上欄第１０行目に、タイミングコントロール回路４５の動作機能に関する記載があり、水平及び垂直同期信号を受けて、サンプルスタート信号、サンプルクロック信号、出力転送信号、スキャンドライバクロック信号、シフトレジストスタート信号、デジタル回路制御信号を作り出して出力する旨が述べられていることから、その記載があるものと認められる。
　
　以上のことから、〈訂正前の本件発明１、２〉は甲第１号証に実質的に記載されてあるものと認められる。
　
　ところで、〈訂正後の本件発明１〉では、「１水平走査期間毎に画像信号を列電極に出力する第３の制御手段」を用いる構成を追加して、垂直ドライバが水平同期信号周波数のｎ倍で１ライン毎に駆動する「第１の制御手段」と、垂直ドライバにスタートパルスをｎ／２ライン分ずらして与える「第２の制御手段」とにより、第１フィールドと第２フィールドとの表示開始ラインをお互いにｎ／２ラインずらして表示することで 画像信号（原映像信号）の１水平走査期間分の信号を圧縮しない構成を明確にしてきている。
また、〈訂正後の本件発明２〉では、「第３の制御手段は、水平同期信号に同期したパルスにより列電極への出力を１水平期間中維持する手段」と限定してきている。
　この点を検討するに、甲第１号証のインターレース表示制御回路は、１水平走査期間毎に列電極に出力す画像信号は、“原映像信号の１水平走査期間分の信号を１／２水平走査分に圧縮した圧縮信号と、圧縮信号同士の間にそれらの圧縮信号のいずれかに類似または同一の信号を補間した１／２水平走査期間分の補間信号とを、１／２水平走査期間毎に交互に液晶パネル上に再生するセグメントドライバが記載されており、画像信号の（原映像信号）の１水平走査期間分の信号を１／２の時間に時間圧縮を行い１フィールド期間内の水平期間内の水平走査線数を２倍にして圧縮して補間信号とする”もので、要するに、〈訂正後の本件発明１，２〉は、垂直ドライバに水平同期信号のｎ倍（ｎは２以上の整数）の周波数のシフトクロックを供給して画像信号を圧縮しないが、甲１号証のものは１水平信号の信号を１／２の時間に時間圧縮して圧縮した信号、若しくは類似の信号を補間して疑似映像信号として保管して使用する点で構成が相違する。
　そして、このことで走査変換回路を不要化して回路の簡素化を図れるとともに、ｎ＝４にした実施例（図５参照）が実現でき良好な解像度でのインターレース表示を達成し得るものである。
　
　したがって、訂正明細書の請求項１、２係る発明は、甲第１号証に記載された発明ではなく、また上記相違点が周知・慣用技術であって甲第１号証から当業者が容易に想到し得るものでもない。
　
　エ．むすび
　以上のとおりであるから、特許異議申立の理由及び証拠によっては、訂正後の本件請求項１、２に係る発明の特許を取り消すことはできない。
　また、他に訂正後の本件請求項１、２に係る発明の特許を取り消すべき理由を発見しない。
　
　よって、結論の通り決定する。
【異議決定日】
平成１２年９月２１日（２０００．９．２１）
【訂正の要旨】
（３）訂正の要旨
ａ．特許請求の範囲の請求項１
「【請求項１】　液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶パネルの上へ順次表示するインターレス表示制御回路であって、前記垂直ドライバが水平同期信号の周波数のｎ倍（ｎは２以上の整数）の周波数のシフトクロックにより１ライン毎に順次駆動する第１の制御手段と、前記垂直ドライバに与えるスタートパルスをｎ／２ライン分ずらして与える第２の制御手段とを有し、前記第１の制御手段及び前記第２の制御手段により前記第１フィールド及び前記第２フィールドの各ラインの画像信号を夫々ｎラインずつ表示し、前記液晶パネル上に表示される前記第１フィールドの画像と前記第２フィールドの画像が表示開始ラインを互いにｎ／２ライン分ずらして交互に表示することを特徴とする液晶表示パネルのインターレス表示制御回路。」
を、特許請求の範囲の減縮、誤記又は誤訳の訂正、及び明りょうでない記載の釈明を目的として、
「【請求項１】　液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶パネルの上へ順次表示するインタ
レー
、１水平走査期間毎に前記画像信号を前記列電極に出力する第３の制御手段と
、
及び前記第３の制御手段
レー
と訂正します。
　これに伴い、特許請求の範囲の記載と発明の詳細な説明の記載との整合をとるため、明細書段落番号００１０
「【００１０】
　【課題を解決するための手段】　本発明の液晶表示パネルのインタレース表示制御回路は、液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶パネルの上へ順次表示するインタレース表示制御回路であって、前記垂直ドライバが水平同期信号の周波数のｎ倍（ｎは２以上の整数）の周波数のシフトクロックにより１ライン毎に順次駆動する第１の制御手段と、前記垂直ドライバに与えるスタートパルスをｎ／２ライン分ずらして与える第２の制御手段とを有し、前記第１の制御手段及び前記第２の制御手段により前記第１フィールド及び前記第２フィールドの各ラインの画像信号を夫々ｎラインずつ表示し、前記液晶パネル上に表示される前記第１フィールドの画像と前記第２フィールドの画像が表示開始ラインを互いにｎ／２ライン分ずらして交互に表示する。」
を、誤記又は誤訳の訂正、及び明りょうでない記載の釈明を目的として、
「【００１０】
　【課題を解決するための手段】　本発明の液晶表示パネルのインタ
レー
レー
、１水平走査期間毎に前記画像信号を前記列電極に出力する第３の制御手段と
、
及び前記第３の制御手段
と訂正します。
ｂ．特許請求の範囲の請求項２
「【請求項２】　前記第１の制御手段は、前記水平ドライバヘの前記信号の取込みタイミングである水平同期信号に同期しかつその周波数をｎ倍（ｎは２以上の整数）した周波数のシフトクロックにより１ライン毎に順次駆動する前記垂直ドライバを駆動する手段から構成し、
前記第２の制御手段は、前記第１フィールド及び前記第２フィールド各々における前記垂直ドライバの駆動タイミングをｎ／２ライン分ずらす手段から構成したことを特徴とする請求項１記載の液晶表示パネルのインターレス表示制御回路」を、特許請求の範囲の減縮、誤記又は誤訳の訂正、及び明りょうでない記載の釈明を目的として、
「【請求項２】　前記第１の制御手段は、前記水平ドライバヘの前記信号の取込みタイミングである水平同期信号に同期しかつその周波数をｎ倍（ｎは２以上の整数）した周波数のシフトクロックにより１ライン毎に順次駆動する前記垂直ドライバを駆動する手段から構成し、
前記第２の制御手段は、前記第１フィールド及び前記第２フィールド各々における前記垂直ドライバの駆動タイミングをｎ／２ライン分ずらす手段から構成し
、前記第３の制御手段は、前記水平同期信号に同期したパルスにより前記列電極への出力を１水平期間中維持する手段から構成し
レー
。
と訂正します。
ｃ．明細書段落番号００４０
「【００４０】このように、制御回路５から垂直ドライバ４に供給するシフトクロットＶＣＫを水平同期信号の周波数のｎ倍にするとともに、制御回路５から垂直ドライバ４に供給するスタートパルスＶＳＰを各フィールド毎にｎ／２ラインずつ交互にずらすことによって、簡単な制御で液晶表示パネル上にインタレース表示を行うことができる。よって、コストアップを招くことなく、良好な解像度でインタレース表示を行うことができる。」
を、誤記又は誤訳の訂正、及び明りょうでない記載の釈明を目的として、
「【００４０】このように、制御回路５から垂直ドライバ４に供給するシフトクロッ
ク
と訂正します。
ｄ．明細書段落番号００４１
「【００４１】
　【発明の効果】以上説明したように本発明によれば、垂直ドライバに供給するシフトクロットを水平同期信号の周波数のｎ倍にするとともに、垂直ドライバに供給するスタートパルスを各フィールド毎にｎ／２ラインずつ交互にずらすことによって、コストアップを招くことなく、良好な解像度でインタレース表示を行うことができるという効果がある。」
を、誤記又は誤訳の訂正、及び明りょうでない記載の釈明を目的として、
「【００４１】
　【発明の効果】以上説明したように本発明によれば、垂直ドライバに供給するシフトクロッ
ク
と訂正します。
（５４）【発明の名称】
インタレース表示制御回路
（５７）【特許請求の範囲】
　【請求項１】　液晶表示パネルの行電極に接続された垂直ドライバと前記液晶パネルの列電極に接続された水平ドライバとを制御し、画像信号の偶数ラインのデータを示す第１フィールドの画像と前記画像信号の奇数ラインのデータを示す第２フィールドの画像とを前記液晶パネルの上へ順次表示するインタ
レー
、１水平走査期間毎に前記画像信号を前記列電極に出力する第３の制御手段と
、
及び前記第３の制御手段
レー
　【請求項２】　前記第１の制御手段は、前記水平ドライバヘの前記信号の取込みタイミングである水平同期信号に同期しかつその周波数をｎ倍（ｎは２以上の整数）した周波数のシフトクロックにより１ライン毎に順次駆動する前記垂直ドライバを駆動する手段から構成し、
前記第２の制御手段は、前記第１フィールド及び前記第２フィールド各々における前記垂直ドライバの駆動タイミングをｎ／２ライン分ずらす手段から構成し
、前記第３の制御手段は、前記水平同期信号に同期したパルスにより前記列電極への出力を１水平期間中維持する手段から構成し
レー
。
【発明の詳細な説明】
　【０００１】
　【産業上の利用分野】本発明はインタレース表示制御回路に関し、特に液晶表示装置におけるインタレース表示の駆動方法に関する。
　【０００２】
　【従来の技術】従来、液晶表示装置においては、良好な解像度でインタレース表示を行う場合、倍速変換回路を用いて映像信号を倍速化する方法がある。また、この方法以外にも、偶数ライン用の垂直ドライバと奇数ライン用の垂直ドライバとを液晶表示パネルの左右両側に設ける方法や、水平ドライバのサンプルホールド回路を４組用いることで倍速変換回路を不要とする方法等がある。
　【０００３】倍速変換回路を用いて映像信号を倍速化する方法の場合、図６に示すように、倍速変換回路８を用いて映像信号を倍速化し、水平ドライバ２，３及び垂直ドライバ４によって液晶表示パネル１に２ラインずつ書込む。
　【０００４】このとき、制御回路７による水平ドライバ２，３及び垂直ドライバ４の駆動制御によって、フィールド毎に上記２ラインの組合せが異なるようにしている。尚、制御回路７はクロックＨＣＫ及びＬＰパルスによって水平ドライバ２，３を駆動制御し、スタートパルスＶＳＰ及びシフトクロックＶＣＫによって垂直ドライバ４を駆動制御している。上述した方法については、特開昭６２−２８４５９２号公報に詳述されている。
　【０００５】また、偶数ライン用の垂直ドライバと奇数ライン用の垂直ドライバとを液晶表示パネルの左右両側に設ける方法の場合、図７に示すように、液晶表示パネル９の奇数ラインの行電極を左側に、偶数ラインの行電極を右側に夫々引出し、それら行電極各々に垂直ドライバ４，１０を接続している。
　【０００６】制御回路１１はスタートパルスＶＳＰ（Ｌ）及びシフトクロックＶＣＫ（Ｌ）によって垂直ドライバ４を駆動制御し、スタートパルスＶＳＰ（Ｒ）及びシフトクロックＶＣＫ（Ｒ）によって垂直ドライバ１０を駆動制御することで、フィールド毎に奇数ラインまたは偶数ラインのみを駆動している。上述した方法については、特開平３−１３２２７４号公報に詳述されている。
　【０００７】さらに、水平ドライバのサンプルホールド回路を４組用いることで倍速変換回路を不要とする方法については、特開昭６３−２３１３９５号公報に詳述されている。
　【０００８】
　【発明が解決しようとする課題】上述した従来のインタレース表示制御回路では、良好な解像度でインタレース表示を行うために、ラインメモリ等による倍速変換や水平ドライバの複雑化、あるいは液晶表示パネルの行電極の引出し方法の変更及び専用の垂直ドライバの設置等が必要になる。よって、インタレース表示を行うための通常の線順次駆動に比べてコストアップになるという問題がある。
　【０００９】そこで、本発明の目的は上記問題点を解消し、コストアップを招くことなく、良好な解像度でインタレース表示を行うことができるインタレース表示制御回路を提供することにある。
　【００１０】
　【課題を解決するための手段】　本発明の液晶表示パネルのインタ
レー
レー
、１水平走査期間毎に前記画像信号を前記列電極に出力する第３の制御手段と
、
及び前記第３の制御手段
　【００１１】
　【作用】垂直ドライバはスタートパルスＶＳＰをシフトクロックＶＣＫで読込み、液晶表示パネルの行電極に電圧を出力をする。これによって、液晶表示パネルには列電極に印加されている電圧が書込まれ、映像を表示する。
　【００１２】水平ドライバの出力は１水平期間中、液晶表示パネルヘの出力電圧を維持する。この１水平期間中に、水平同期周波数のｎ倍のクロックを垂直ドライバにシフトクロックＶＣＫとして与えると、垂直ドライバは１水平期間中にｎラインスキャンし、同一ラインの映像信号を液晶表示パネルにｎライン分書込むよう動作する。
　【００１３】また、第２フィールドを表示するときに垂直ドライバがスタートパルスＶＳＰを読込む位置を、第１フィールドを表示するときに読込む位置よりもｎ／２クロック早くする。これによって、第１フィールドのラインと第２フィールドのラインとの間がｎ／２ラインだけずれることになる。
　【００１４】例えば、ｎ＝４のとき、第１フィールドは（１，２，３，４）、（５，６，７，８）、（９，１０，１１，１２）、……となる。これに対し、第２フィールドは（３，４，５，６）、（７，８，９，１０）、（１１，１２，１３，１４）、……となる。これによって、液晶表示パネル上には各フィールドの隣合うライン間の平均が表示され、インタレース信号を表示することができる。
　【００１５】
　【実施例】次に、本発明について図面を参照して説明する。
　【００１６】図１は本発明の一実施例の構成を示すブロック図である。図において、アクティブマトリックス型液晶表示パネル（以下液晶表示パネルとする）１の列電極には水平ドライバ２，３が夫々接続され、行電極には垂直ドライバ４が接続されている。
　【００１７】制御回路５は水平同期信号と垂直同期信号と映像信号とを夫々入力し、クロックＨＣＫ及びＬＰパルスによって水平ドライバ２，３を駆動制御するとともに、スタートパルスＶＳＰ及びシフトクロックＶＣＫによって垂直ドライバ４を駆動制御する。
　【００１８】図２は本発明の一実施例の動作を示すタイムチャートである。図２（ａ）は垂直ドライバ４の駆動動作を示すタイムチャートであり、図２（ｂ）はフィールド毎の動作を示すタイムチャートである。これら図１及び図２を用いて本発明の一実施例の動作について説明する。
　【００１９】制御回路５に入力された映像信号は、水平ドライバ２，３にクロックＨＣＫのタイミングでサンプリングされる。水平ドライバ２，３は水平同期信号に同期したＬＰパルスによって１水平期間毎に、サンプリングした映像信号を全ての列電極に一斉に出力する。
　【００２０】また、制御回路５は垂直ドライバ４に水平同期信号の２倍の周波数のシフトクロックＶＣＫを供給しており、このシフトクロックＶＣＫによって垂直ドライバ４を１水平期間中に２ライン続けて駆動する［図２（ａ）参照］。
　【００２１】第１フィールドの表示が終了すると、液晶表示パネル１の垂直４８０ラインには第１フィールドの映像信号（表示したい映像のうち偶数ラインの映像信号）２４０本分が各ライン夫々２ラインずつ書込まれる。
　【００２２】制御回路５は第２フィールドの映像信号（表示したい映像のうち奇数ラインの映像信号）の表示を行うときに垂直ドライバ４に与えるスタートパルスＶＳＰのタイミングを、第１フィールドの表示を行うときよりもシフトクロック１クロック分早く与える［図２（ｂ）参照］。
　【００２３】これよって、第１フィールドでは同一データが書込まれる液晶表示パネル１上のラインの組合せは（１，２）、（３，４）、（５，６）、……、（４７９，４８０）となる。
　【００２４】一方、第２フィールドでは同一データが書込まれる液晶表示パネル１上のラインの組合せは（２，３）、（４，５）、（６，７）、……、（４７８，４７９）となる。
　【００２５】したがって、第１フィールドと第２フィールドとでは１ラインずれて表示されることになる。すなわち、表示したい映像の偶数ラインの映像信号と奇数ラインの映像信号とが１ラインずれて表示されることになる。
　【００２６】図３は本発明の一実施例による液晶表示パネル１への表示動作を示す図である。この図を用いて、本発明の一実施例による表示動作について説明する。
　【００２７】表示したい映像信号が偶数ラインのデータａ１〜ａ２４０と奇数ラインのデータｂ１〜ｂ２４０とからなっている場合、制御回路５には偶数ラインのデータａ１〜ａ２４０が第１フィールドとして入力され、奇数ラインのデータｂ１〜ｂ２４０が第２フィールドとして入力される。
　【００２８】制御回路５は垂直ドライバ４に水平同期信号の２倍の周波数のシフトクロックＶＣＫを供給し、垂直ドライバ４を１水平期間中に２ライン続けて駆動制御することで、第１フィールドのデータａ１〜ａ２４０を夫々２ラインずつ液晶表示パネル１に表示する。
　【００２９】この後に、制御回路５は垂直ドライバ４に水平同期信号の２倍の周波数のシフトクロックＶＣＫを供給するとともに、垂直ドライバ４にスタートパルスＶＳＰを第１フィールドのときよりも１クロック分早く与える。これによって、第２フィールドのデータｂ１〜ｂ２４０が第１フィールドのデータａ１〜ａ２４０に対して１ラインずつずれて２ラインずつ液晶表示パネル１に表示される。
　【００３０】したがって、液晶表示パネル１の各ラインの表示としては表示したい映像信号の隣合うライン間の平均を見ることになる。すなわち、液晶表示パネル１の第１ラインに（ａ１＋ｂ０）／２を、第２ラインに（ａ１＋ｂ１）／２を、第３ラインに（ａ２＋ｂ１）／２を、第４ラインに（ａ２＋ｂ２）／２を、第５ラインに（ａ３＋ｂ２）／２を、……、第４７９ラインに（ａ２４０＋ｂ２３９）／２を、第４８０ラインに（ａ２４０＋ｂ２４０）／２を夫々見ることになる。
　【００３１】これによって、垂直４８０本のインタレース信号を擬似的ではあるが、液晶表示パネル１上に表示することができる。
　【００３２】図４は本発明の他の実施例の構成を示すブロック図である。図において、本発明の他の実施例では液晶表示パネル６が垂直９６０ラインであること以外は本発明の一実施例と同様の構成となっており、同一構成要素には同一符号を付してある。また、同一構成要素の動作は本発明の一実施例の動作と同様である。
　【００３３】図５は本発明の他の実施例の動作を示すタイムチャートである。図５（ａ）は垂直ドライバ４の駆動動作を示すタイムチャートであり、図５（ｂ）はフィールド毎の動作を示すタイムチャートである。これら図４及び図５を用いて本発明の他の実施例の動作について説明する。
　【００３４】この場合、液晶表示パネル６が垂直９６０ラインであるので、制御回路５は垂直ドライバ４に水平同期信号の４倍の周波数のシフトクロックＶＣＫを供給し、このシフトクロックＶＣＫによって垂直ドライバ４を１水平期間中に４ライン続けて駆動する［図５（ａ）参照］。
　【００３５】第１フィールドの表示が終了すると、液晶表示パネル６の垂直９６０ラインには第１フィールドの映像信号（表示したい映像のうち偶数ラインの映像信号）２４０本分が各ライン夫々４ラインずつ書込まれる。
　【００３６】制御回路５は第２フィールドの映像信号（表示したい映像のうち奇数ラインの映像信号）の表示を行うときに垂直ドライバ４に与えるスタートパルスＶＳＰのタイミングを、第１フィールドの表示を行うときよりもシフトクロック２クロック分早く与える［図５（ｂ）参照］。
　【００３７】これよって、第１フィールドでは同一データが書込まれる液晶表示パネル１上のラインの組合せは（１，２，３，４）、（５，６，７，８）、……、（９５７，９５８，９５９，９６０）となる。
　【００３８】一方、第２フィールドでは同一データが書込まれる液晶表示パネル１上のラインの組合せは（３，４，５，６）、（７，８，９，１０）、（１１，１２，１３，１４）、……、（９５５，９５６，９５７，９５８）となる。
　【００３９】したがって、第１フィールドと第２フィールドとでは２ラインずれて表示されることになる。すなわち、表示したい映像の偶数ラインの映像信号と奇数ラインの映像信号とが２ラインずれて表示されることになる。
　【００４０】このように、制御回路５から垂直ドライバ４に供給するシフトクロッ
ク
　【００４１】
　【発明の効果】以上説明したように本発明によれば、垂直ドライバに供給するシフトクロッ
ク
【図面の簡単な説明】
　【図１】本発明の一実施例の構成を示すブロック図である。
　【図２】（ａ）は本発明の一実施例の垂直ドライバの駆動動作を示すタイムチャート、（ｂ）は本発明の一実施例によるフィールド毎の動作を示すタイムチャートである。
　【図３】本発明の一実施例による液晶表示パネルヘの表示動作を示す図である。
　【図４】本発明の他の実施例の構成を示すブロック図である。
　【図５】（ａ）は本発明の他の実施例の垂直ドライバの駆動動作を示すタイムチャート、（ｂ）は本発明の他の実施例によるフィールド毎の動作を示すタイムチャートである。
　【図６】従来例の構成を示すブロック図である。
　【図７】従来例の構成を示すブロック図である。
　【符号の説明】
　１，６　液晶表示パネル
　２，３　水平ドライバ４
　４　垂直ドライバ
　５　制御回路